(57)【要約】  【課題】各種の作業、工事等の安全確保のために広く適用でき、かつ比較的簡易、手軽な方式で、作業者の安全を確保するための注意喚起装置及び注意喚起システムを提供する。【解決手段】注意喚起情報を入力する入力手段１１と、入力手段１１から入力された注意喚起情報を記憶する記憶手段１２ａと、記憶手段１２ａに記憶された注意喚起情報を出力する出力手段１３とを具備する構成とする。【選択図】        図１
2005158041.tif 000002
【特許請求の範囲】
【請求項１】
注意喚起情報を入力する入力手段と、
入力手段から入力された注意喚起情報を記憶する記憶手段と、
記憶手段に記憶された注意喚起情報を出力する出力手段とを具備することを特徴とする注
意喚起装置。
【請求項２】
注意喚起情報を入力する入力手段と、
入力手段から入力された注意喚起情報を記憶する記憶手段と、
注意喚起情報を出力する時間を計数する時間計数手段と、
計数された時間に到達したときに注意喚起情報を出力する出力手段とを具備することを特
徴とする注意喚起装置。
【請求項３】
作業項目のデータを入力する入力手段と、
入力された作業項目データを注意喚起情報に変換する変換手段と、
注意喚起情報を出力する出力手段とを具備することを特徴とする注意喚起装置。
【請求項４】
請求項１ないし３記載の注意喚起装置がヘルメットに装着されたことを特徴とする注意喚
起システム。
【請求項５】
請求項１ないし３記載の注意喚起装置が携帯型無線電話器の一機能として組み込まれたこ
とを特徴とする注意喚起システム。
【発明の詳細な説明】
【技術分野】
【０００１】
本発明は、各種の作業、工事等における作業者などの安全を確保するための注意喚起装
置及び注意喚起システムに関する。
【背景技術】
【０００２】
従来、この種の作業、例えば、高所作業時に作業者は必ず安全ベルトを着用、ガスタン
ク内の清掃作業では、保安要員の確保、防毒マスクの着用、路上工事には保安柵、工事標
識の設置、交通誘導員の確保等、事故を防止し安全を確保するための各種の注意すべき手
段が設定されている。
【０００３】
しかしながら、作業者の物忘れ、馴れによる思い込み、勘違い等いわゆるヒューマンエ
ラーにより、これら注意すべき手段の励行が行われず、転落事故、ガス中毒、酸欠事故、
感電事故、交通事故等、思わぬ事故発生の原因となることが多々生じる。
【０００４】
これは、上記のような大掛かりな作業、工事に限らず、一般家庭における日曜大工にお
いて各種電動工具等を使用する際の注意すべき事項の確認が行われないことによる事故発
生とか、さらにはトラック、バス等の長距離運転作業における、運転作業者による車の事
前点検作業の励行が行われないことによる交通事故発生の原因ともなっている。
【０００５】
この種の問題を改善するために、下記の特許文献１及び２に示されるような各種の安全
装置が開発されている。
【特許文献１】実用新案登録第３０７２９６３号公報
【特許文献２】実用新案登録第３０１９８０７号公報
【発明の開示】
【発明が解決しようとする課題】
【０００６】
特許文献１に示されるものは、高所作業に使用されるバケット車における作業員の安全
確保のために、安全帯のフックをバケットに掛け忘れないようにするための装置であるが
、この装置によれば、バケット車における高所作業の安全の確保は可能であるが、他の工
事、例えば、ガスタンク内の清掃作業、ガス、水道、電気等の路上工事等における安全確
保のためには使用できない問題があり、さらにバケット内に搭乗検知センサー等の設置が
必要となり装置が大掛かりとなる問題も生じる。
【０００７】
また、特許文献２に示されるものは、作業者への緊急連絡や危険信号を光で知らせるこ
とができる安全ヘルメットに関するものであるが、この方式では作業者へ情報を知らせる
ための監視要員の確保が必ず必要となり、また伝達させるための装置として高価な無線送
受信機等が必須の要件となるなど、システムが大掛かりとなり高価なシステムとなる問題
が生じる。
【０００８】
本発明は、上述した課題を解決することを目的とし、各種の作業、工事の安全確保のた
めに広く適用でき、かつ比較的簡易、手軽な方式で、作業者の安全を確保するための注意
喚起装置及び注意喚起システムを提供しようとするものである。
【課題を解決するための手段】
【０００９】
請求項１に記載の注意喚起装置の発明は、注意喚起情報を入力する入力手段と、入力手
段から入力された注意喚起情報を記憶する記憶手段と、記憶手段に記憶された注意喚起情
報を出力する出力手段とを具備することを特徴とする。
【００１０】
本発明における「注意喚起情報」とは、各種の作業、工事における安全を確保するため
に講じる手段を意味し、例えば、橋脚工事、配電線工事等の高所作業において、作業者は
「必ず安全ベルトを着用する」手段を講じなければならないこと、ガスタンク内の清掃作
業では、「保安要員の確保」「防毒マスクの着用」等の手段、路上工事には「保安柵」「
工事標識の設置」「交通誘導員の確保」など、作業者の安全確保のために講じる各種の手
段を指すが、これら例示した内容には特に限定されない。
【００１１】
さらに、本発明の「注意喚起情報」は、トラック、バス等の長距離運転作業における、
運転作業者による車の事前点検作業時の注意喚起情報である「タイヤ圧は大丈夫か」等、
さらには一般家庭等における日曜大工において各種電動工具等を使用する際の注意喚起情
報である「電動のこぎり使用時は巻き込みを防止するために手袋をしない」などであって
もよく、要は事故を防止し安全を確保するための各種の注意すべき手段であればよい。
【００１２】
「入力手段」は、例えば、マイクロコンピュータの入力部に、上記の注意喚起情報をデ
ジタル信号に変換して入力し、マイクロコンピュータの記憶部に記憶させる入力部等のこ
とを意味している。入力の具体的な手段としては、小形のパソコンや一般的な携帯電話等
におけると同様のキーボードを備え、このキーボードから、直接、例えば、「安全ベルト
を正しくつけましょう」と日本語で入力するようにすればよいが、例えば、上記の各種の
注意喚起情報を記号、符号に変換し、その変換された記号、符号を入力するようにしても
よい。
【００１３】
入力は、作業者が作業開始前に、当日に行われる高所作業、清掃作業や路上工事等の作
業項目に対応する注意喚起情報を確認し、直接、注意喚起情報を入力することが好ましい
が、予め装置に各種の作業項目及び作業項目に対応する注意喚起情報を記憶させておき、
作業者が当日の作業項目だけを入力すれば、自動的にその作業項目に対応する注意喚起情
報が設定されるようにしてもよく、「注意喚起情報を入力する入力手段」とは、装置に対
し注意喚起情報を直接入力することは勿論であるが、注意喚起情報が装置に予め入力され
ていて、間接的に別の信号を入力することで注意喚起情報が呼び出されような、実質的に
注意喚起情報が入力されたと同様の状態すべてを包含する意味である。
【００１４】
「入力手段から入力された注意喚起情報を記憶する記憶手段」とは、例えば、上記のよ
うなマイクロコンピュータの記憶部等のことを意味し、注意喚起情報以外、例えば、高所
作業、清掃作業や路上工事等の作業項目、さらには作業項目に関連する他の情報等が入力
されていてもよく、要は、少なくとも注意喚起情報が記憶されていればよい。
【００１５】
「記憶手段に記憶された注意喚起情報を出力する出力手段」とは、例えば、上記のよう
なマイクロコンピュータの記憶部等に記憶された注意喚起情報の内、選択された注意喚起
情報が出力され、その注意喚起情報を表示、または報知する出力部等のことを意味してい
る。
【００１６】
出力手段から注意喚起情報を出力する時期は、作業者が、その作業、工事における安全
確保のために必要な注意喚起情報を確認し確実に実行するために、作業者自身が該当の作
業開始前に、手動で、例えば、装置の確認ボタンを押して、該当の作業、工事における注
意喚起情報を出力して確認することが好ましいが、例えば、一日の作業工程、スケジュー
ルに従った時間を基に、作業者自身が作業現場に出発する前に、該当の作業が開始される
時間を見計らって注意喚起情報を出す時間の設定を行い、所定の時間がくると自動的に注
意喚起情報が表示、または報知されるようにしてもよい。
【００１７】
さらに、注意喚起情報の表示、または報知は、例えば、５秒おきに１分間繰り返し報知
し、自動的にＯＦＦするか、ＯＦＦしない限り報知し続けるようにしても、さらには、作
業終了までの間、自動的に何回か、定期的若しくは不定期的に表示、または報知を行うよ
うにしてもよい。
【００１８】
さらに、装置の主電源を入れ忘れた場合、若しくは使用途中に何らかのショックで主電
源が切れた場合に、設定した所定の時間が経過すると自動的に主電源が入るように構成し
、出力手段から注意喚起情報が確実に出力されるようにしてもよい。
【００１９】
注意喚起情報の具体的な出力内容は、小形のパソコンや携帯電話等におけると同様の液
晶画面等に、例えば、「安全ベルトを正しくつけましょう」と日本語の文字で表示すると
共に、スピーカーから音声で知らせることが好ましいが、例えば、ブザー、ベル等による
警告音、バイブレータによる振動、さらに、光を発光させるようにして、作業者に注意喚
起情報を確認させるための注意を喚起させるようにしてもよい。
【００２０】
さらには、文字、映像、音声、警告音、振動、光等を組み合わせてもよく、要は、作業
者がその作業において、何かを注意しなければならないことに気付き、注意するための行
動が引き起こされるようにすればよい。
【００２１】
本発明の入力手段、記憶手段、出力手段は、上記のようにマイクロコンピュータや液晶
等の電子部品で構成することが好ましいが、特にこれらに限定されず、機械的な部材で、
または電子部品と機械的な部材を組み合わせて構成しても勿論よい。
【００２２】
本発明によれば、各種の作業、工事等の安全確保のために広く適用でき、かつ比較的簡
易、手軽な方式で、作業者の安全を確保するための注意喚起装置を提供することができる
。
【００２３】
請求項２に記載の注意喚起装置の発明は、注意喚起情報を入力する入力手段と、入力手
段から入力された注意喚起情報を記憶する記憶手段と、注意喚起情報を出力する時間を計
数する時間計数手段と、計数された時間に到達したときに注意喚起情報を出力する出力手
段とを具備することを特徴とする。
【００２４】
本発明における「注意喚起情報を出力する時間を計数する時間計数手段」とは、例えば
、上記のようなマイクロコンピュータに組み込まれたタイマー機能等を意味し、入力され
た所定時間、すなわち記憶部に記憶された注意喚起情報を出力手段に出力するまでの時間
を計測することを意味している。
【００２５】
さらに作業項目だけを入力すれば、自動的にその作業項目に対応する注意喚起情報が設
定されるようになっている場合には、記憶された注意喚起情報の内、予め選定された注意
喚起情報を出力手段に出力するまでの時間を計測するようにしてもよい。
【００２６】
本発明の入力手段、記憶手段、時間計数手段及び出力手段は、上記のようにマイクロコ
ンピュータや液晶等の電子部品で構成することが好ましいが、特にこれらに限定されず、
機械的な部材で、または電子部品と機械的な部材を組み合わせて構成しても勿論よい。
【００２７】
請求項３に記載の注意喚起装置の発明は、作業項目のデータを入力する入力手段と、入
力された作業項目データを注意喚起情報に変換する変換手段と、注意喚起情報を出力する
出力手段とを具備することを特徴とする。
【００２８】
本発明における「入力された作業項目データを注意喚起情報に変換する変換手段」とは
、例えば、上記のようなマイクロコンピュータを使用する場合には、予めマイクロコンピ
ュータに各種の作業項目と各種の注意喚起情報を記憶させ、作業項目と注意喚起情報との
連携をとっておき、作業項目を入力すれば、その作業項目に必要な注意喚起情報を自動的
に選定して、作業項目を該当の注意喚起情報に変換することを意味し、作業者は作業項目
に必要な注意喚起情報をいちいち記憶、確認することなく、作業項目を入力するだけで、
その作業、工事に必要な注意喚起情報が出力されるようにしたものである。
【００２９】
本発明の入力手段、変換手段、出力手段は、上記のようにマイクロコンピュータや液晶
等の電子部品で構成することが好ましいが、特にこれらに限定されず、機械的な部材で、
または電子部品と機械的な部材を組み合わせて構成しても勿論よい。
【００３０】
請求項４に記載の注意喚起システムの発明は、請求項１ないし３記載の注意喚起装置が
ヘルメットに装着されたことを特徴とする。
【００３１】
本発明における「注意喚起装置がヘルメットに装着された」とは、請求項１ないし３記
載の注意喚起装置が、例えば、作業用のヘルメットの内部、特に耳や目の近辺に取り付け
られていることが好ましいが、その取り付け位置については特に限定されない。取り付け
手段もヘルメットから必要に応じて取り外しができるように着脱自在に取り付けられてい
ることが好ましいが、固定されていてもよい。
【００３２】
光で注意喚起を報知する場合には、装置をヘルメット内の視界を遮らない程度に、でき
るだけ目に近づけた位置、例えば、目の側面に取り付けることがよい。
【００３３】
装置をヘルメットに装着する意味は、作業者が必ず着用し持参するヘルメットに装置を
装着したので、作業現場に注意喚起装置を持っていくことを忘れることが防止できること
を意味し、作業者が、一日の作業を開始する前、装置を手元に置き、その日の作業スケジ
ュールに従い、手元で作業項目または注意喚起情報等を液晶画面を見ながら入力し、入力
セット完了後、ヘルメット内部の耳の近辺、もしくは目の側面に装置を取り付けるように
し、該当の作業開始前に、装置から音声で注意喚起情報を作業者に知らせるか、または振
動、警告音または光で注意喚起を報知するようにしたものである。さらに工事現場で騒音
がひどく、聞きにくい場合など、装置をヘルメットから取り外し、液晶画面で注意喚起情
報が文字により確認できるようにしてもよい。
【００３４】
本発明によれば、作業者が、必ず着用し持参するヘルメットに装置を装着したシステム
としたので、作業現場に注意喚起装置を持っていくことを忘れることが防止でき、より確
実に注意喚起を行うことができ、より一層安全を確保することができる注意喚起システム
を提供することができる。
【００３５】
請求項５に記載の注意喚起システムの発明は、請求項１ないし３記載の注意喚起装置が
携帯型無線電話器の一機能として組み込まれたことを特徴とする。
【００３６】
本発明における「注意喚起装置が携帯型無線電話器の一機能として組み込まれた」とは
、例えば、ＮＴＴ等の通話システムを通じて外部との通話が可能な一般的な携帯電話にお
いて、携帯電話の通話機能に付加される機能の一つとして請求項１ないし３記載の注意喚
起装置の機能が組み込まれていることを意味しているが、一般的な携帯電話に限らず、建
築現場等の構内での通話が可能なローカルな携帯型無線電話器に組み込まれていてもよい
。
【００３７】
装置を携帯型無線電話器の一機能として組み込む意味は、作業者が、一般的に、常時携
帯する携帯型無線電話器の一機能として注意喚起装置を組み込むことにより、装置を作業
現場に持っていくことを忘れることが防止でき、携帯型無線電話器が本来的に有している
テンキー等の入力手段、マイクロコンピュータ等の制御手段や記憶手段、液晶画面等の出
力手段の機能を利用して注意喚起装置を構成し、携帯型無線電話器と一体となった注意喚
起システムを構成することを意味している。
【００３８】
本発明によれば、作業者が、一般的に、常時携帯する携帯型無線電話器の一機能として
注意喚起装置を組み込んだので、装置を作業現場に持っていくことを忘れることが防止で
き、より確実に注意喚起をすることができ、より一層安全を確保することができる注意喚
起システムを提供することができる。
【発明の効果】
【００３９】
請求項１の発明によれば、注意喚起情報を出力する出力手段を具備するので、各種の作
業、工事の安全確保のために広く適用でき、かつ比較的簡易、手軽な方式で、作業者の安
全を確保するための注意喚起装置を提供することができる。
【００４０】
請求項２の発明によれば、計数された時間に到達したときに注意喚起情報を出力する出
力手段を具備するので、自動的に注意喚起情報を出力することができ、各種の作業、工事
の安全確保のために広く適用でき、かつ比較的簡易、手軽な方式で、作業者の安全を確保
するための注意喚起装置を提供することができる。
【００４１】
請求項３の発明によれば、作業項目データを注意喚起情報に変換する変換手段を有する
ので、作業項目データを入力すればよく、操作が簡単になると共に、各種の作業、工事の
安全確保のために広く適用でき、かつ比較的簡易、手軽な方式で、作業者の安全を確保す
るための注意喚起装置を提供することができる。
【００４２】
請求項４の発明によれば、作業者が、必ず着用し持参するヘルメットに装置を装着した
システムとしたので、作業現場に注意喚起装置を持っていくことを忘れることが防止でき
、より確実に注意喚起を行うことができ、より一層安全を確保することができる注意喚起
システムを提供することができる。
【００４３】
請求項５の発明によれば、作業者が、一般的に、常時携帯する携帯型無線電話器の一機
能として注意喚起装置を組み込んだシステムとしたので、装置を作業現場に持っていくこ
とを忘れることが防止でき、より確実に注意喚起をすることができ、より一層安全を確保
することができる注意喚起システムを提供することができる。
【発明を実施するための最良の形態】
【００４４】
以下、本発明に係る注意喚起装置及び注意喚起システムの第一の実施形態について説明
する。
【実施例１】
【００４５】
図１は、本発明第一実施形態の注意喚起装置の概要を示す概略構成図。図２は、本発明
第一実施形態の注意喚起装置を拡大して示す正面図。図３は、本発明第一実施形態の注意
喚起装置を拡大して示す側面図。図４は、本発明第一実施形態の注意喚起システムの一部
を切除して示す断面図。図５は、本発明第一実施形態の注意喚起システムの概要を示す側
面図である。
【００４６】
１０は装置本体で、入力手段である入力部１１と制御手段である制御部１２と出力手段
である出力部１３とから構成されている。
【００４７】
入力部１１は、テンキー部１４と機能ボタン１５とからなっている。
【００４８】
テンキー部１４は、１０個のテンキーと２個のキーが配置され、１０個のテンキーのボ
タン表面には、「１〜９」と「０」、及び「１〜９」の数字キーに、平仮名あいうえお５
０音表の行の先頭文字「あ」を数字「１」に、以下順に「２」に「か」・・・・「９」に
「ら」を、さらに「０」に「わ」「を」「ん」の文字が表示され、これらテンキーを使い
、該当作業、工事の作業項目、注意喚起情報等を平仮名で入力するものである。
【００４９】
さらに、２個のキーには、「＃」「＊」の記号が表示され、「＃」は次ページめくりの
ための、「＊」は前ページめくりための機能を有し、制御部１２の後述する記憶部に記憶
されている作業項目と、作業項目に対応する注意喚起情報の一覧表などを液晶画面に表示
して、画面のページをめくりながら見ることができるものである。
【００５０】
機能ボタン１５は、電源スイッチ・セットボタン１５ａ、表示ボタン１５ｂ、タイマー
セットボタン１５ｃ、機能切換ボタン１５ｄ、クリアボタン１５ｅよりなっている。
【００５１】
各機能ボタン１５の表面には、その各機能が、例えば、電源スイッチ・セットボタン１
５ａであれば「電源・セット」のように文字でボタンの機能が表示されている。
【００５２】
電源スイッチ・セットボタン１５ａは、電源スイッチがＯＮされた状態でボタンを押す
と入力操作のセット状態になり、上述の作業項目をテンキーから入力できる状態になる。
【００５３】
さらに、注意喚起情報が表示、または報知された状態のときに、電源スイッチ・セット
ボタン１５ａを押すと、注意喚起情報の表示、または報知がＯＦＦされる。
【００５４】
また、電源スイッチ・セットボタン１５ａを押し続けると装置全体の電源がＯＦＦとな
る。
【００５５】
さらに、表示ボタン１５ｂは、セットされた作業項目に対応する注意喚起情報を出力部
１３である液晶画面に表示させるためのボタンであり、作業者が該当の作業、工事をする
前に注意喚起情報を確認し見るために操作するためのボタンで、目立つように赤色に着色
してある。
【００５６】
タイマーセットボタン１５ｃは、所定時間になったら自動的に注意喚起情報を液晶画面
に表示したり、スピーカーから音声で報知するための時間をセットするためのもので、２
４時間単位の時間と分がテンキーを使って入力され、最後にタイマーセットボタン１５ｃ
を、再度押すことにより所定の時間がセットできる。
【００５７】
機能切換ボタン１５ｄは、本装置を時計に使ったり、電卓に使ったりするためのもので
、ボタンを押すことにより、順次「注意喚起装置」「時計」「電卓」の機能が液晶画面に
表示され順番に切り換えられるものである。
【００５８】
クリアボタン１５ｅは、入力内容やセット内容を修正等するために使用されるもので、
クリアボタン１５ｅを押すことにより再度正しい内容を入力、セットできるようにするた
めのものである。
【００５９】
制御部１２は、マイクロコンピュータから構成され、記憶部１２ａ、タイマー部１２ｂ
及び変換部１２ｃ、さらには図示しないが、ワープロ機能部、電卓機能部、時計機能部等
から構成されている。
【００６０】
記憶部１２ａには、作業項目、すなわち「橋脚工事」「配電線工事」「ガスタンク内の
清掃作業」「路上工事」等の項目と、注意喚起情報、すなわち「必ず安全ベルトを着用す
る」「保安要員の確保」「防毒マスクの着用」「保安柵」「工事標識の設置」「交通誘導
員の確保」等の項目が記憶されている。
【００６１】
この作業項目及び注意喚起情報は、新たな作業項目及び注意喚起情報が入力されると、
逐次追加されて記憶部１２ａに記憶される。また不要になった項目等は削除が可能になっ
ている。
【００６２】
また、変換部１２ｃは、作業項目と注意喚起情報との連携をとる作用をなすようになっ
ており、記憶部１２ａに記憶されている「橋脚工事」「配電線工事」の作業項目が入力部
１１から入力されると、橋脚工事と配電線工事に必要な記憶部に記憶された注意喚起情報
である「必ず安全ベルトを着用する」の信号に変換し、出力部１３にその信号を出力する
。
【００６３】
また、作業項目である「ガスタンク内の清掃作業」が入力部１１から入力されると、記
憶部１２ａに記憶された注意喚起情報である「保安要員の確保」「防毒マスクの着用」の
信号に変換し、出力部１３にその信号を出力する。
【００６４】
さらに、「路上工事」の作業項目が入力部１１から入力されると、記憶部１２ａに記憶
された注意喚起情報である「保安柵」「工事標識の設置」「交通誘導員の確保」の信号に
変換し、出力部１３にその信号を出力する。
【００６５】
出力部１３は、液晶画面１３ａ、スピーカー１３ｂ及び発光ダイオードからなる光源部
１３ｃ、バイブレータ１３ｄから構成されている。
【００６６】
液晶画面１３ａは、注意喚起情報等を文字で表示すると共に、上述のように入力部１１
からに入力された内容や、タイマーセットボタン１５ｃの入力時間、時計表示、電卓計算
などを表示する。
【００６７】
スピーカー１３ｂは、装置本体１０正面の右下に位置して設けられ、注意喚起情報の内
容を音声で報知したり、所定の時間がきたときに「ピー」のような警告音を発するための
ものである。
【００６８】
発光ダイオードからなる光源部１３ｃは、装置本体１０底面の左下に設けられ、所定の
時間がきたときに、赤色の光を点滅して発光させるためのものである。
【００６９】
バイブレータ１３ｄは、装置本体１０内部に内蔵され、所定の時間がきたときに、装置
本体１０全体を振動させるものである。
【００７０】
１６は、装置本体１０の正面右上に設けられ、入力部１１、制御部１２及び出力部１３
等を動作させるための太陽電池からなる電源部である。
【００７１】
１７は、装置本体１０裏面の中央部に着脱自在に取り付けられた支持部材で、ばね鋼板
等の弾性を有する材料で構成され、作業用ヘルメット１８の鍔１８ａに挟み込み、ヘルメ
ット１８に装置本体１０を着脱自在に取り付けるためのクリップ部１７ａを有している。
【００７２】
次に、本実施形態の作用について、橋脚工事における作業を例に説明する。
【００７３】
まず、工事現場での朝礼等で、当日の作業項目の内容、作業スケジュールを確認する。
【００７４】
例えば、当日の作業が橋脚の高所における作業が午前９：００から開始、午後は移動し
１３：００から路上で電気工事の作業を開始する内容であれば、装置本体１０の電源スイ
ッチ・セットボタン１５ａを押し、セット可能状態にして、テンキー部１４より作業項目
である橋脚工事を「きょうきゃくこうじ」と平仮名で入力する。
【００７５】
次に、再度、電源スイッチ・セットボタン１５ａを押すと入力した作業項目である「橋
脚工事」の文字及び注意喚起情報である「必ず安全ベルトを着用する」の文字が液晶画面
１３ａに表示され、入力内容が間違っていないかを確認する。よければ、再度、電源スイ
ッチ・セットボタン１５ａを押してセットを完了する。
【００７６】
間違っていた場合には、クリアボタン１５ｅを押して、入力内容を消去し、新たに正し
い内容を入力すればよい。
【００７７】
次に、タイマーセットボタン１５ｃを押し、タイマーセット状態にして、テンキー部１
４より数字「９」と「００」を入力し、再度タイマーセットボタン１５ｃを押して、９時
００分の時間をセットする。
【００７８】
次に、装置本体１０の電源スイッチ・セットボタン１５ａを再度押し、セット可能状態
にして、テンキー部１４より午後の作業項目である路上の電気工事を「ろじょうのでんき
こうじ」と平仮名で入力する。
【００７９】
次に、再度、電源スイッチ・セットボタン１５ａを押すと入力した作業項目である「路
上の電気工事」の文字及び注意喚起情報である「保安柵」「工事標識の設置」「交通誘導
員の確保」の文字が液晶画面１３ａに表示され、入力内容が間違っていないかを確認する
。よければ、再度、電源スイッチ・セットボタン１５ａを押してセットを完了する。
【００８０】
さらに、タイマーセットボタン１５ｃを押して１３時００分の時間を入力し、再度、タ
イマーセットボタン１５ｃを押して午後の工事のタイマーのセットを完了する。
【００８１】
次に、作業者は自身が使用する作業用ヘルメット１８の鍔１８ａに、装置本体１０を支
持部材１７のクリップ部１７ａを使用して挟み取り付ける。
【００８２】
取り付ける位置は、図４、図５に示すように、スピーカー１３ｂからの音が聞こえるよ
うに、また発光ダイオード１３ｃの光がヘルメットの内面に反射して目にみえるようにし
て、耳の左上方で目の右上方に位置して取り付ける。
【００８３】
以上で注意喚起装置の事前のセットが終了する。
【００８４】
次に、作業者が午前中の作業である橋脚の高所の作業現場に到着したら、この作業にお
ける安全確保のために必要な注意喚起情報を確認し確実に実行するために、装置本体１０
をヘルメット１８の鍔１８ａから取り外し、装置本体１０の赤色の表示ボタン１５ｂを押
す。
【００８５】
これにより、橋脚工事の高所作業における注意喚起情報である「必ず安全ベルトを着用
する」の文字が液晶画面１３ａに表示され、作業者は忘れることなく、安全確保のため手
段である「安全ベルト」を確実に着用する。自身の着用は勿論、他作業者への注意喚起も
同時に行うことができる。
【００８６】
作業者が安全ベルトを着用し、注意喚起情報の表示、または報知が不要になったら、電
源スイッチ・セットボタン１５ａを押し注意喚起装置をＯＦＦすればよい。
【００８７】
作業者が、作業現場に到着したときに、注意喚起装置の操作を忘れたときには、事前の
作業スケジュールに基づき、セットしておいたタイマーが、９：００になると作動し、自
動的にスピーカー１３ｂから「ピー」という高音の警告音を耳元で発し、さらに「安全ベ
ルトを正しくつけましょう」と音声で報知する。
【００８８】
この報知は、５秒おきに１分間繰り返し報知され、自動的にＯＦＦする。
【００８９】
１分間の途中でＯＦＦする場合には、装置本体１０をヘルメット１８から取り外し、電
源スイッチ・セットボタン１５ａを押せばよい。
【００９０】
なお、電源スイッチ・セットボタン１５ａでＯＦＦしない限り報知し続けるようにして
もよい。
【００９１】
また、工事現場の騒音で音が聞こえない場合でも、発光ダイオード１３ｃが目元で赤色
に発光して点滅し、さらにバイブレータ１３ｄが振動するので、作業者は注意喚起装置の
操作を忘れたことに気付き、装置本体１０をヘルメット１８から取り外し、装置本体を操
作して作業の安全確保のための注意喚起情報を液晶画面１３ａで確認することができ、上
記同様、安全確保のため手段である「安全ベルト」を確実に着用することができる。
【００９２】
次に、昼食が終わり、作業者が午後の作業である路上での電気工事に移動し、作業現場
に到着すると、上記同様に、この作業における安全確保のために必要な注意喚起情報を確
認し確実に実行するために、装置本体１０をヘルメット１８から取り外し、装置本体の表
示ボタン１５ｂを押す。
【００９３】
これにより、路上での電気工事における注意喚起情報である「保安柵」「工事標識の設
置」「交通誘導員の確保」の文字が液晶画面１３ａに表示され、作業者は安全確保のため
に上記各手段を講じ、安全を確保することができる。
【００９４】
作業者が、作業現場に到着したときに、注意喚起装置の操作を忘れたときには、事前の
作業スケジュールに基づき、セットしておいたタイマーが、１３：００になると作動し、
自動的にスピーカー１３ｂから「ピー」という高音の警告音を発し、さらに「保安柵の設
置」「工事標識の設置」「交通誘導員の確保をしましょう」と音声で報知する。
【００９５】
また、上記同様に工事現場の騒音で音が聞こえない場合でも、発光ダイオード１３ｃが
赤色に発光し、バイブレータ１３ｄが振動するので、作業者は注意喚起装置の操作を忘れ
たことに気付くことができる。
【００９６】
さらに、作業現場での急な作業変更のときなどに、その変更された作業項目に対応する
注意喚起情報が何かを確認したいときには、ページめくりキー「＃」「＊」を、順次押し
て、制御部１２の記憶部１２ａに記憶されている作業項目と、作業項目に対応する注意喚
起情報の一覧表などを呼び出し液晶画面１３ａに表示して確認する。
【００９７】
本装置を「時計」として使う場合は、機能切換ボタン１５ｄを１回押すと、液晶画面１
３ａに現在の時間が「時」と「分」で表示される。
【００９８】
「電卓」として使う場合は、機能切換ボタン１５ｄを２回押すと、電卓機能に変わり、
テンキー１４及び液晶画面１３ａを使って計算ができる。
【００９９】
なお、本実施形態において、作業項目の入力とは別に、当日の作業におけるメモ的な内
容、例えば、１５時３０分に「本部に作業の進行状況を連絡する」とか「１５時に休憩を
とる」とかの内容を入力しておき、上記同様にタイマー機能を使って自動的に表示、また
は報知するようにしてもよい。
【０１００】
本実施形態では、注意喚起情報の報知を、５秒おきに１分間繰り返し報知し、自動的に
ＯＦＦするか、電源スイッチ・セットボタン１５ａでＯＦＦしない限り報知し続けるよう
にしたが、作業終了までの間、自動的に何回か、定期的若しくは不定期的に報知を行うよ
うにしてもよい。
【０１０１】
さらに、装置の電源スイッチ・セットボタンを押し忘れ、主電源を入れ忘れた場合、若
しくは使用途中に何らかのショックで主電源が切れた場合に、設定した所定の時間が経過
すると自動的に主電源が入るように構成し、より一層確実に注意喚起が行えるようにして
もよい。
【０１０２】
さらに、本実施形態では、作業項目を入力して、作業項目を変換部により注意喚起情報
に変換して表示、または報知するようにし、作業者が一々、作業項目に対応する注意喚起
情報を思い出して確認する手間を省くことにより、入力の操作を簡単にしたが、入力部よ
り、例えば「安全ベルトを正しくつけましょう」と直接、注意喚起情報を入力して記憶さ
せ、その記憶させた注意喚起情報を直接表示、または報知するようにしてもよい。
【０１０３】
さらに、本実施形態では作業開始前における注意喚起装置として使用したが、作業終了
時における後片付け内容の確認に使用してもよい。例えば、路上での電気工事では、「保
安柵」「工事標識」などを設置して工事が行われるが、工事終了時に本装置の表示ボタン
を押して、路上での電気工事における注意喚起情報を液晶画面に表示し、工事中設置して
あった内容、すなわち「保安柵」「工事標識の設置」を確認し、これらが全て片付けられ
たかを確認するようにしてもよい。
【０１０４】
本実施形態によれば、注意喚起情報を出力する出力部を具備するので、各種の作業、工
事の安全確保のために広く適用でき、かつ比較的簡易、手軽な方式で、作業者の安全を確
保するための注意喚起装置を提供することができる。
【０１０５】
さらに、注意喚起装置の操作を忘れたときには、タイマーが作動し、自動的にスピーカ
ーから警告音や注意喚起情報を音声で報知するので、より確実に作業者の安全を確保する
ための注意喚起装置を提供することができる。
【０１０６】
さらに、工事現場の騒音で音が聞こえない場合でも、発光ダイオード等の光源部が発光
し、バイブレータが振動して作業者に注意喚起装置の操作を忘れたことに気付くことがで
きるようにしたので、より確実に作業者の安全を確保するための注意喚起装置を提供する
ことができる。
【０１０７】
さらに、電源スイッチ・セットボタンでＯＦＦしない限り報知し続けるようにしたり、
作業終了までの間、自動的に何回か、定期的若しくは不定期的に報知を行うようにして、
より確実に作業者の安全を確保するための注意喚起装置を提供することができる。
【０１０８】
さらに、装置の電源スイッチ・セットボタンを押し忘れ、主電源を入れ忘れた場合、若
しくは使用途中に何らかのショックで主電源が切れた場合に、設定した所定の時間が経過
すると自動的に主電源が入るように構成して、より確実に作業者の安全を確保するための
注意喚起装置を提供することができる。
【０１０９】
また、作業者が、必ず着用し持参するヘルメットに装置本体を装着したシステムとした
ので、作業現場に注意喚起装置を持っていくことを忘れることが防止でき、より確実に注
意喚起を行うことができ、より一層安全を確保することができる注意喚起システムを提供
することができる。
【０１１０】
次に本発明に係る注意喚起装置及び注意喚起システムの第二の実施形態について説明す
る。
【実施例２】
【０１１１】
図６は、本発明の第二実施形態の注意喚起システムを示す斜視図である。
【０１１２】
本実施形態は、第一の実施形態における注意喚起装置の機能を携帯電話の一機能として
組み込んだ注意喚起システムである。
【０１１３】
図６において、２０はＮＴＴ等の通話システムを通じて外部との通話が可能な一般的な
携帯電話であり、携帯電話が本来的に有している、テンキー、マイクロコンピュータ、液
晶画面等をそのまま利用して注意喚起装置を構成し、携帯電話と一体となった注意喚起シ
ステムを構成している。
【０１１４】
すなわち、注意喚起装置の本体は、携帯電話２０の本体を使用し、注意喚起装置の入力
手段である入力部は携帯電話のテンキー部２１と機能ボタン２２を使い、以下同様に、制
御手段である制御部は携帯電話に内蔵されているマイクロコンピュータを使い、出力手段
である出力部は携帯電話の液晶画面２３、スピーカー２４及び内蔵されているバイブレー
タ、充電表示ランプ２５を使うようになっている。
【０１１５】
携帯電話のテンキー部２１は、１０個のテンキーと２個のキーが配置され、１０個のテ
ンキーのボタン表面には、「１〜９」と「０」、及び「１〜９」の数字キーに、平仮名あ
いうえお５０音表の行の先頭文字「あ」を数字「１」に、以下順に「２」に「か」・・・
・「９」に「ら」を、さらに「０」に「わ」「を」「ん」の文字が表示され、これら携帯
電話のテンキーを使い、注意喚起装置としての該当作業、工事の作業項目、注意喚起情報
等を平仮名で入力する。
【０１１６】
さらに、２個のキーには、「＃」「＊」の記号が表示され、「＃」は携帯電話としての
次ページめくりのための、「＊」は前ページめくりための機能を有し、このキーを使い、
注意喚起装置としての作業項目と、作業項目に対応する注意喚起情報の一覧表などを携帯
電話の液晶画面２３に表示して、画面のページをめくりながら見られるようにする。
【０１１７】
携帯電話の機能ボタン２２と注意喚起装置としての機能ボタンの関係は、携帯電話の電
源スイッチを注意喚起装置の電源スイッチ・セットボタン２２ａに、携帯電話の機能選択
ボタンを注意喚起装置の表示ボタン２２ｂに、携帯電話の通話ボタンを注意喚起装置のタ
イマーセットボタン２２ｃに、携帯電話のメニーユ切換ボタンを注意喚起装置の機能切換
ボタン２２ｄ、携帯電話のクリアボタンをそのまま注意喚起装置のクリアボタン２２ｅと
して使用する。
【０１１８】
上記のように携帯電話に設定された注意喚起装置としての電源スイッチ・セットボタン
２２ａ、表示ボタン２２ｂ、タイマーセットボタン２２ｃ、機能切換ボタン２２ｄ及びク
リアボタン２２ｅの各機能、作用は、上述した第一の実施形態と同様の機能を有している
。
【０１１９】
なお、携帯電話のテンキー部２１及び機能ボタン２２には、注意喚起装置として使用す
る各機能を夫々のボタン表面に、例えば、携帯電話の電源スイッチボタン２２ａに文字表
示された「電源」に併設して「セット」の文字を表示してある。また、取扱説明書で携帯
電話の各ボタンが、注意喚起装置のどの機能ボタンに対応するかを説明するようにする。
【０１２０】
注意喚起装置としての制御部は、図示しないが携帯電話に内蔵されているマイクロコン
ピュータを使い、その記憶部、タイマー部及び変換部を、そのまま注意喚起装置の記憶部
、タイマー部及び変換部として使い、さらに携帯電話のワープロ機能部、電卓機能部、時
計機能部も、そのまま使用して注意喚起装置のワープロ機能部、電卓機能部、時計機能部
として使用する。
【０１２１】
上記のように携帯電話に設定された注意喚起装置としての記憶部における記憶内容及び
変換部における変換機能は、上述した第一の実施形態と同様である。
【０１２２】
注意喚起装置の出力部である、液晶画面、スピーカー、バイブレータ及び光源部は、携
帯電話の液晶画面２３、スピーカー２４、本体に内蔵されているバイブレータ及び充電表
示ランプ２５をそのまま使うことによって構成する。
【０１２３】
上記のように携帯電話に設定された注意喚起装置としての液晶画面２３、スピーカー２
４、バイブレータ及び光源部２５の機能、作用は上述した第一の実施形態と同様である。
【０１２４】
注意喚起装置としての電源部は、携帯電話の充電式の電源部をそのまま使用する。
【０１２５】
図中２６は携帯電話のアンテナ、２７は二つ折り携帯電話のヒンジ部である。
【０１２６】
次に、本実施形態の作用について、第一の実施形態と同様、橋脚工事における作業を例
に説明する。
【０１２７】
例えば、当日の作業が橋脚の高所における作業が午前９：００から開始、午後は移動し
１３：００から路上で電気工事の作業を開始する内容であれば、先ず、携帯電話２０のメ
ニーユ切換ボタン２２ｄで、携帯電話を注意喚起装置の機能に切り替える。
【０１２８】
次に電源スイッチ２２ａを押し、セット可能状態にして、テンキー部２１より作業項目
である橋脚工事を「きょうきゃくこうじ」と平仮名で入力する。
【０１２９】
次に、再度、電源スイッチ２２ａを押すと入力した作業項目である「橋脚工事」の文字
及び注意喚起情報である「必ず安全ベルトを着用する」の文字が携帯電話の液晶画面２３
に表示され、入力内容が間違っていないかを確認する。よければ、再度、電源スイッチ２
２ａを押してセットを完了する。
【０１３０】
間違っていた場合には、クリアボタン２２ｅを押して、入力内容を消去し、新たに正し
い内容を入力すればよい。
【０１３１】
次に、通話ボタン２２ｃを押し、タイマーセット状態にして、テンキー部１４より数字
「９」と「００」を入力し、再度通話ボタン２２ｃを押して、９時００分の時間をセット
する。
【０１３２】
次に、電源スイッチ２２ａを再度押してセット可能状態にして、テンキー部２１より午
後の作業項目である路上の電気工事を「ろじょうのでんきこうじ」と平仮名で入力する。
【０１３３】
次に、再度、電源スイッチ２２ａを押すと入力した作業項目である「路上の電気工事」
の文字及び注意喚起情報である「保安柵」「工事標識の設置」「交通誘導員の確保」の文
字が液晶画面２３に表示され、入力内容が間違っていないかを確認する。よければ、再度
、電源スイッチ２２ａを押してセットを完了する。
【０１３４】
さらに、通話ボタン２２ｃを押して１３時００分の時間を入力し、再度、通話ボタン２
２ｃを押して午後の工事のタイマーのセットを完了する。作業者は携帯電話を作業服のポ
ケット等に入れて携行する。
【０１３５】
以上で携帯電話による注意喚起装置の事前のセットが終了する。
【０１３６】
次に、作業者が午前中の作業である橋脚の高所の作業現場に到着したら、この作業にお
ける安全確保のために必要な注意喚起情報を確認し確実に実行するために、携帯電話を取
り出し携帯電話の機能選択ボタン２２ｂを押す。
【０１３７】
これにより、橋脚工事の高所作業における注意喚起情報である「必ず安全ベルトを着用
する」の文字が携帯電話の液晶画面２３に表示され、作業者は忘れることなく、安全確保
のための手段である「安全ベルト」を確実に着用する。自身の着用は勿論、他作業者への
注意喚起も携帯電話の電話機能を使って同時に行うことができる。
【０１３８】
作業者が安全ベルトを着用し、注意喚起情報の表示、または報知が不要になったら、電
源スイッチ２２ａを押して携帯電話の注意喚起機能をＯＦＦすればよい。
【０１３９】
作業者が、作業現場に到着したときに、注意喚起装置の操作を忘れたときには、事前の
作業スケジュールに基づき、携帯電話にセットしておいたタイマーが、９：００になると
作動し、自動的に携帯電話のスピーカー２４から「ピー」という高音の警告音を発する。
【０１４０】
作業者は電話がかかってきたとして、携帯電話をとって耳に付けることにより「安全ベ
ルトを正しくつけましょう」と音声で聞くことができると同時に液晶画面２３でも確認が
できる。
【０１４１】
この報知は、５秒おきに１分間繰り返し報知され、自動的にＯＦＦする。
【０１４２】
１分間の途中でＯＦＦする場合には電源スイッチ２２ａを押せばよい。
【０１４３】
なお、電源スイッチ２２ａでＯＦＦしない限り報知し続けるようにしてもよい。
【０１４４】
また、工事現場の騒音で音が聞こえない場合でも、携帯電話のバイブレータが振動し、
さらに充電表示ランプ２５が発光して点滅するので、作業者は注意喚起装置の操作を忘れ
たことに気付き、携帯電話を取り出し、携帯電話を操作して作業の安全確保のための注意
喚起情報を液晶画面２３で確認することができ、上記同様、安全確保のため手段である「
安全ベルト」を確実に着用することができる。
【０１４５】
次に、昼食が終わり、作業者が午後の作業である路上での電気工事に移動し、作業現場
に到着すると、上記同様に、この作業における安全確保のために必要な注意喚起情報を確
認し確実に実行するために、携帯電話を取り出し、携帯電話の機能選択ボタン２２ｂを押
す。
【０１４６】
これにより、路上での電気工事における注意喚起情報である「保安柵」「工事標識の設
置」「交通誘導員の確保」の文字が携帯電話の液晶画面２３に表示され、作業者は安全確
保のために上記各手段を講じ、安全を確保することができる。
【０１４７】
作業者が、作業現場に到着したときに、注意喚起装置の操作を忘れたときには、事前の
作業スケジュールに基づき携帯電話にセットしておいたタイマーが、１３：００になると
作動し、自動的に携帯電話のスピーカー２４から「ピー」という高音の警告音を発する。
【０１４８】
作業者は電話がかかってきたとして、携帯電話をとって耳に付けることにより「保安柵
の設置」「工事標識の設置」「交通誘導員の確保をしましょう」と音声で聞くことができ
ると同時に液晶画面２３でも確認ができる。
【０１４９】
また、上記同様に工事現場の騒音で音が聞こえない場合でも、バイブレータが振動し、
充電表示ランプ２５が発光し点滅するので、作業者は注意喚起装置の操作を忘れたことに
気付くことができる。
【０１５０】
その他の構成、機能及び作用は、上記第一の実施形態と同様である。
【０１５１】
なお、本実施形態では、ＮＴＴ等の通話システムを通じて外部との通話が可能な一般的
な携帯電話に注意喚起装置の機能を組み込んだが、建築現場等の構内での通話が可能なロ
ーカルな携帯型無線電話器に組み込んでもよい。
【０１５２】
本実施形態によれば、作業者が、一般的に、常時携帯する携帯型無線電話器の一機能と
して注意喚起装置を組み込んだシステムとしたので、装置を作業現場に持っていくことを
忘れることが防止でき、より確実に注意喚起をすることができ、より一層安全を確保する
ことができる注意喚起システムを提供することができる。
【０１５３】
さらに、携帯型無線電話器が本来的に有しているテンキー等の入力手段、マイクロコン
ピュータ等の制御手段や記憶手段、液晶画面等の出力手段の機能を利用して注意喚起装置
を構成したので、より手軽で、コスト的にも有利な注意喚起システムを提供することがで
きる。
【０１５４】
以上、本発明の好適な実施形態を説明したが、本発明は上述の各実施形態に限定される
ことなく、本発明の要旨を逸脱しない範囲内において、種々の設計変更を行うことができ
る。
【産業上の利用可能性】
【０１５５】
本発明は、トラック、バス等の長距離運転作業における、運転作業者による車の事前点
検作業時の注意喚起、さらには一般家庭等における日曜大工において各種電動工具等を使
用する際の注意喚起などにも適用できる。
【図面の簡単な説明】
【０１５６】
【図１】本発明の第一実施形態の注意喚起装置の概要を示す概略構成図。
【図２】本発明の第一実施形態の注意喚起装置を拡大して示す正面図。
【図３】本発明の第一実施形態の注意喚起装置を拡大して示す側面図。
【図４】本発明の第一実施形態の注意喚起システムの一部を切除して示す断面図。
【図５】本発明の第一実施形態の注意喚起システムの概要を示す側面図。
【図６】本発明の第二実施形態の注意喚起システムを示す斜視図。
【符号の説明】
【０１５７】
１０    装置本体
１１    入力手段
１２    制御手段
１２ａ  記憶手段
１３    出力手段
【図１】
2005158041.tif 000003
【図２】
2005158041.tif 000004
【図３】
2005158041.tif 000005
【図４】
2005158041.tif 000006
【図５】
2005158041.tif 000007
【図６】
2005158041.tif 000008